(57)【要約】 【課題】本考案は、従来のスプロケットの構造を大きく変えることなく、容易に緩衝部材が本体から剥離して、脱落することが無いばかりでなく、格段に騒音の少ないスプロケットを提供することを目的とする。【解決手段】  剛材製の環状の本体と、該本体の外周面から径方向外方に突出し、チェーンと係合する複数個の歯と、該歯の軸方向両端に本体と一体的に配置され、該チェーンの係合時の緩衝作用をなす一対のゴム状弾性材製の緩衝部材とよりなるスプロケットにおいて、該緩衝部材の外周面側にチェーンのリンクプレートの円弧上外周面に対応した円弧状溝を設けた構成を備える。  【選択図】  図１
0003121629.tif 000002
【実用新案登録請求の範囲】
【請求項１】
剛材製の環状の本体（１）と、前記本体（１）の外周面から径方向外方に突出し、チェーン（４）と係合する複数個の歯（２）と、前記歯（２）の軸方向両端に前記本体（１）と一体的に配置され、前記チェーン（４）の係合時の緩衝作用をなす一対のゴム状弾性材製の緩衝部材（３）とよりなるスプロケットにおいて、前記緩衝部材（３）、（３）の外周面側に前記チェーン（４）のリンクプレート（５）、（６）の円弧上外周面に対応した円弧状溝（７）を設けたことを特徴とするスプロケット。
【請求項２】
前記円弧上溝（７）を前記歯（２）の歯底部（２１）に対応した位置に設けたことを特徴とするスプロケット。
【請求項３】
前記円弧上溝（７）が側面に開口した溝であることを特徴とする請求項１乃至２記載のスプロケット。
【請求項４】
前記円弧上溝（７）が前記本体（１）側にゴム状弾性材層（３１）を残した状態で設けられていることを特徴とする請求項１乃至３記載のスプロケット。
【考案の詳細な説明】
【技術分野】
【０００１】
本考案は、スプロケットに関する。
また、本発明は、チェーンと組み合わされて動力伝達機構をなすスプロケットに関する。
更に、本考案は、走行騒音を小さく抑えることが出来る低騒音型のスプロケットに関する。
更にまた、本考案は、動力伝達用、移送用等に用いられるローラーチェーンまたはブッシュチェーン等のチェーンとの噛み合い時に発生する騒音を低減した騒音防止スプロケットに関する。
【背景技術】
【０００２】
従来、第二図に示すスプロケットが知られている。
第二図に示すスプロケットは、金属材製の環状の本体１００と、この本体１００の外周面から径方向外方に突出し、チェーンと係合する複数個の歯２００と、この歯２００の軸方向両端に、本体１００と一体的に配置され、チェーンの係合時の緩衝作用をなす一対のゴム状弾性材製の緩衝部材３００とより構成されている。
【０００３】
そして、この種スプロケットの緩衝部材３００は、その外周面３０１が全周均一な円筒面を形成している。
一方、スプロケットと係合するチェーンは、第三図に示す様に、外リンクプレート５および内リンクプレート６の外周面は円弧形状をなしている。このため、緩衝部材３００が早期に損傷する危険性が有った。
また、チェーン４の緩衝部材３００に当接する部位の形状と、チェーン４が当接する緩衝部材３００の外周面の形状が一致していないため、消音効果が悪かった。
更に、チェーン４の緩衝部材３００に当接する部位の形状と、チェーン４が当接する緩衝部材３００の外周面の形状が一致していないため、緩衝部材３００に当接する部位が永久変形してしまう問題を惹起していた。
この様なスプロケットとして、特開２００５−１４７３４０号公報に示されるスプロケットが知られている。
【０００４】
【特許文献１】特開２００５−１４７３４０号公報
【考案の開示】
【考案が解決しようとする課題】
【０００５】
しかしながら、上述した第二図に示すスプロケットでは、繰り返しチェーン４の衝撃を受けたり、チェーン４が緩衝部材３００、３００と長期間接触した状態で放置された場合は、緩衝部材３００、３００が早期に磨耗・損傷したり、永久変形してしまう危険性があった。
【０００６】
また、チェーン４の緩衝部材３００に当接する部位の形状と、チェーン４が当接する緩衝部材３００の外周面の形状が一致していないため、消音効果が悪かった。
【０００７】
更に、チェーン４が軸方向に移動した際、チェーン４と本体１とが直接接して、異音を発することを効果的防止できなかった。
【０００８】
本考案は、このような課題に鑑みてなされたものであり、従来のスプロケットの構造を大きく変えることなく、容易に緩衝部材が磨耗・損傷することの無いスプロケットを提供することである。
【０００９】
また、本考案は、従来のスプロケットに比べ、格段に騒音の少ないスプロケットを提供することを目的とする。
【課題を解決するための手段】
【００１０】
本考案のスプロケットは、剛材製の環状の本体と、該本体の外周面から径方向外方に突出し、チェーンと係合する複数個の歯と、該歯の軸方向両端に本体と一体的に配置され、該チェーンの係合時の緩衝作用をなす一対のゴム状弾性材製の緩衝部材とよりなるスプロケットにおいて、該緩衝部材の外周面側にチェーンのリンクプレートの円弧上外周面に対応した円弧状溝を設けたことを特徴としている。
また、本考案のスプロケットは、円弧上溝を該歯の歯底部に対応した位置に設けたことを特徴としている。
更に、本考案のスプロケットは、円弧上溝が側面に開口した溝であることを特徴としている。  
更にまた、本考案のスプロケットは、円弧上溝が本体側にゴム状弾性材層を残した状態で設けられていることを特徴としている。
【００１１】
本考案のスプロケットによれば、チェーンの緩衝部材に当接する部位の形状と、チェーンが当接する緩衝部材の外周面の形状を一致させたため、良好な消音効果が期待できるスプロケットを提供出来る。
【００１２】
本考案のスプロケットによれば、円弧上溝が本体側にゴム状弾性材層を残した状態で設けられているので、チェーンが軸方向に移動した際、チェーンと本体とが直接接して、異音を発することをより確実に防止出来る。
【考案の効果】
【００１３】
本考案は、以下に記載されるような効果を奏する。
請求項１記載の考案のスプロケットによれば、良好な消音効果が期待できると共に、緩衝部材の寿命を延ばせるスプロケットを提供出来る。
【００１４】
また、請求項２記載の考案のスプロケットによれば、異音を発することをより確実に防止出来る。
更に、請求項３記載の考案のスプロケットによれば、チェーンが軸方向に移動した際、チェーンと本体とが直接接して、異音を発することをより確実に防止出来る。
【考案を実施するための最良の形態】
【００１５】
以下、本考案を実施するための最良の形態について説明する。
第一図に基づき考案を実施するための最良の形態について説明する。
この種スプロケットは、金属材製の環状の本体１は、円盤状を呈する回転部品であって、その中心部に軸孔１１を有している。
【００１６】
そして、その外周部にチェーン４が係合する複数の歯２を有している。
チェーン４は、第三図に示す様に、一般のローラチェーンと同様に外リンクプレート５および内リンクプレート６よりなる。即ち、外リンクプレート５の両端部をピンで連結固定した外リンクプレート５と、内リンクプレート６の両端部をブッシュで連結固定し、更に該ブッシュにローラを遊嵌したローラリンクよりなり、これら両リンクプレートをブッシュにピンを嵌挿することにより交互に連結して無端状に構成されている。
そして、両リンクプレートの両端部は、円弧形状を呈している。
【００１７】
歯２の軸方向両端には、一対のゴム状弾性材製の緩衝部材３、３が配置されている。
そして、この一対のゴム状弾性材製の緩衝部材３、３は、チェーン４の係合時の緩衝作用をなす。
【００１８】
この種緩衝部材３、３は、ウレタンゴムや二トリルゴムなど各種の合成ゴム材料や、適度の弾性を有するナイロンなどの合成樹脂材料を使用することが出来る。
そして、この種緩衝部材３、３の外周面には、円弧状溝７が、歯底部２１に対応した位置に複数個設けられている。
この円弧状溝７は、両リンクプレートの円弧形状部位を受け入れるために、対応した円弧形状となっている。
【００１９】
また、この円弧状溝７は、本体１側にゴム状弾性材層３１を残した状態で設けている。
このため、チェーンが軸方向に移動した際、チェーンと本体とが直接接して、異音を発することをより確実に防止出来る。
更に、この円弧状溝７は、側面に開口した溝となっている。
【００２０】
そして、この一対の緩衝部材３、３は、本体１に設けた軸方向の貫通孔を介して連結一体化されている。
このことにより、緩衝部材３、３をより強固に本体１側に保持できる。
【００２１】
以上のことから、本考案を実施するための最良の形態によれば、チェーンとの噛み合い時に発生する騒音の低減をより確実に出来る。
更に、緩衝部材が本体から剥離して、脱落することのないスプロケットを提供することが出来る。
【００２２】
また、本考案は上述の考案を実施するための最良の形態に限らず本考案の要旨を逸脱することなくその他種々の構成を採り得ることはもちろんである。
【図面の簡単な説明】
【００２３】
【図１】スプロケットにかかる考案の実施の形態を示す斜視図である。
【図２】スプロケットにかかる従来技術に係る形態を示す斜視図である。
【図３】スプロケット共同して動力を伝達するチェーンの側面図である。
【００２４】
１‥‥本体
２‥‥歯
３‥‥緩衝部材
４‥‥チェーン
５‥‥外リンクプレート
６‥‥内リンクプレート
７‥‥円弧状溝
２１‥‥歯底部
３１‥‥ゴム状弾性材層
【図１】
0003121629.tif 000003
【図２】
0003121629.tif 000004
【図３】
0003121629.tif 000005
【手続補正書】
【提出日】平成18年3月10日(2006.3.10)
【手続補正１】
【補正対象書類名】実用新案登録請求の範囲
【補正対象項目名】全文
【補正方法】変更
【補正の内容】
【実用新案登録請求の範囲】
【請求項１】
剛材製の環状の本体（１）と、前記本体（１）の外周面から径方向外方に突出し、チェーン（４）と係合する複数個の歯（２）と、前記歯（２）の軸方向両端に前記本体（１）と一体的に配置され、前記チェーン（４）の係合時の緩衝作用をなす一対のゴム状弾性材製の緩衝部材（３）とよりなるスプロケットにおいて、前記緩衝部材（３）、（３）の外周面側に前記チェーン（４）のリンクプレート（５）、（６）の円弧上外周面に対応した円弧状溝（７）を設けたことを特徴とするスプロケット。
【請求項２】
前記円弧上溝（７）を前記歯（２）の歯底部（２１）に対応した位置に設けたことを特徴とする請求項１記載のスプロケット。
【請求項３】
前記円弧上溝（７）が側面に開口した溝であることを特徴とする請求項１または２記載のスプロケット。
【請求項４】
前記円弧上溝（７）が前記本体（１）側にゴム状弾性材層（３１）を残した状態で設けられていることを特徴とする請求項１〜３のいずれか一項に記載のスプロケット。